Podtech/llm-jp-corpus-v4-ja_patent huggingface dataset:
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
配向ポリマー多層光学フィルムであって、前記配向ポリマー多層光学フィルムの長さ又は幅にわたって変化する第１の帯域端を備えた第１の反射帯域を有し、前記第１の帯域端は、垂直入射では、設計波長λと前記設計波長に対する特性偏差Δとを有する、配向ポリマー多層光学フィルムと、
前記配向ポリマー多層光学フィルムに隣接して配置され、及び第１の遮断帯域を有する第１の非複屈折光学フィルタであって、前記第１の遮断帯域は、垂直入射でλ−Δ／２とλ＋Δ／２との間の波長を含む、第１の非複屈折光学フィルタと、を備え、
前記第１の反射帯域は、垂直入射では、前記第１の遮断帯域外に少なくともΔの幅を有する波長範囲を含む、光学積層体。
【請求項２】
前記第１の非複屈折光学フィルタは、非複屈折反射体であり、前記第１の遮断帯域は、反射帯域である、請求項１に記載の光学積層体。
【請求項３】
第２の非複屈折光学フィルタを更に備え、前記第１の反射帯域は、垂直入射では、第２の設計波長を有する第２の帯域端を有し、前記第２の非複屈折光学フィルタは、前記第２の設計波長を含む第２の遮断帯域を有する、請求項１に記載の光学積層体。
【請求項４】
垂直入射では、第１の帯域端を望ましくない帯域端波長に有する第１の反射帯域を有する配向ポリマー多層光学フィルムと、
前記配向ポリマー多層光学フィルムに隣接し、及び第１の遮断帯域を有する第１の非複屈折光学フィルタであって、前記第１の遮断帯域は、垂直入射では、前記望ましくない帯域端波長を含み、及び第２の帯域端を第１の所望の帯域端波長に有する、第１の非複屈折光学フィルタと、を備える光学積層体。
【請求項５】
第２の遮断帯域を有する第２の非複屈折光学フィルタを更に備え、前記第１の反射帯域は、垂直入射では、第３の帯域端を第２の望ましくない帯域端波長に有し、前記第２の遮断帯域は、前記第２の望ましくない波長を含み、及び第４の帯域端を第２の所望の帯域端波長に有する、請求項４に記載の光学積層体。
【請求項６】
前記配向ポリマー多層光学フィルムと前記第１の非複屈折光学フィルタとに光学的に連通するマーカを更に備える、請求項４に記載の光学積層体。
【請求項７】
第１の反射帯域を備える配向ポリマー多層光学フィルムであって、前記第１の反射帯域は、垂直入射では、第１の帯域幅を有し、垂直入射と６０度の入射角との間では、第１のシフトを有する第１の帯域端を有する、配向ポリマー多層光学フィルムと、
前記配向ポリマー多層光学フィルムに隣接して配置され、第１の遮断帯域を有する第１の非複屈折光学フィルタであって、前記第１の遮断帯域は、垂直入射では、第２の帯域幅を有し、垂直入射と入射角６０度との間では、第２のシフトを有する第２の帯域端を有する、第１の非複屈折光学フィルタと、を備え、
前記第１のシフトは前記第２のシフトとは異なる、光学積層体。
【請求項８】
前記第１の帯域幅は、前記第２の帯域幅よりも大きい、請求項７に記載の光学積層体。
【請求項９】
前記第１の非複屈折光学フィルタは非複屈折反射体であり、前記光学積層体は、前記第１の反射帯域及び前記第１の遮断帯域から生じる全反射帯域を有し、前記全反射帯域は、垂直入射では、第３の帯域幅を有し、及び垂直入射と入射角６０度との間では、第３のシフトを有する第３の帯域端を有し、前記第３の帯域幅は、前記第１の帯域幅よりも大きく、前記第３のシフトは、前記第２のシフトに等しい、請求項７に記載の光学積層体。
【請求項１０】
前記第１の遮断帯域は、垂直入射では、前記第１の反射帯域に完全に含まれ、斜め入射角では、前記第１の反射帯域に完全には含まれない、請求項７に記載の光学積層体。
【請求項１１】
前記第１の反射帯域と前記第１の遮断帯域は、垂直入射では、重ならず、斜め入射角では、重なる、請求項７に記載の光学積層体。
【請求項１２】
請求項１〜１１のいずれか一項に記載の光学積層体を備え、前記光学積層体と光学的に連通する光源及びセンサの一方又は両方を更に備える、光学システム。
【請求項１３】
第１の帯域端を備えた第１の反射帯域を有する配向ポリマー多層光学フィルムと、
出力帯域の光を生成するように構成された光源であって、前記配向ポリマー多層光学フィルムと光学的に連通する、光源と、を備え、
前記第１の反射帯域は、垂直入射では、前記出力帯域と重なるが、斜め入射角では、重ならないか、前記第１の反射帯域は、斜め入射角では、前記出力帯域と重なるが、垂直入射では、重ならない、光学システム。
【請求項１４】
第１の帯域端を備えた第１の反射帯域を有する配向ポリマー多層光学フィルムと、
入力帯域の光を受光するように構成され、前記配向ポリマー多層光学フィルムと光学的に連通するセンサとを備え、
前記第１の反射帯域は、垂直入射では、前記入力帯域と重なり、斜め入射角では、重ならないか、前記第１の反射帯域は、斜め入射角では、前記出力帯域と重なるが、垂直入射では、重ならない光学システム。
【請求項１５】
配向ポリマー多層光学フィルムの第１の反射帯域を変更する方法であって、
前記第１の反射帯域を有し、前記第１の反射帯域は、垂直入射では、帯域端を第１の波長に有する、前記配向ポリマー多層光学フィルムを準備することと、
所望の垂直入射帯域端波長を決定することと、
第１の遮断帯域を有する非複屈折光学フィルタを選択することであって、前記第１の遮断帯域は、前記所望の垂直入射帯域端波長を有し、垂直入射において前記第１の波長を含む、選択することと、
前記配向ポリマー多層光学フィルムと光学的に連通する前記非複屈折反射体を配置することと、を含む、方法。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
ｉ）異なる複数の投影方向に沿って取得された被撮像対象の投影画像から予め再構成された３Ｄ入力画像ボリュームと、ｉｉ）前記３Ｄ入力画像ボリューム内の画像構造の指定と、を受け取る入力インタフェースと、
前記指定に基づいて、前記３Ｄ入力画像ボリューム内の前記画像構造の幾何学的な３Ｄモデルを作成するモデル作成器であって、前記３Ｄモデルが深さを有する、モデル作成器と、
前記３Ｄモデルに基づいて前記３Ｄ入力画像ボリュームを適応させて３Ｄ出力画像ボリュームを生成するボリューム適応器と、
を有する画像処理システム。
【請求項２】
前記３Ｄ出力画像ボリュームに基づいて新しい画像ボリュームを再構成する再構成器を有する、請求項１に記載のシステム。
【請求項３】
前記ボリューム適応器による前記３Ｄ入力画像ボリュームの適応は、前記適応された３Ｄボリュームと、前記投影画像の少なくとも１つとの整合性を維持しながら、前記３Ｄモデル内の少なくとも１つの画像値を変更することを含む、請求項１又は２に記載のシステム。
【請求項４】
前記画像構造の前記指定は、前記３Ｄ入力画像ボリュームの或る平面内で実行され、前記モデル作成器は、前記平面内の前記画像構造に基づいて前記３Ｄモデルを作成する、請求項１乃至３のいずれか１項に記載のシステム。
【請求項５】
前記モデル作成器による前記３Ｄモデルの作成は、前記異なる複数の投影方向のうちの１つに沿って前記３Ｄ入力画像ボリューム内の前記指定された画像構造を拡張することを含む、請求項１乃至４のいずれか１項に記載のシステム。
【請求項６】
前記モデル作成器による前記３Ｄモデルの作成は、形状プリミティブを前記指定された画像構造にフィッティングすることを含む、請求項１乃至５のいずれか１項に記載のシステム。
【請求項７】
前記形状プリミティブが楕円体である、請求項６に記載のシステム。
【請求項８】
前記再構成がトモシンセシス再構成を含む、請求項１乃至７のいずれか１項に記載のシステム。
【請求項９】
前記再構成は反復的であり、前記出力画像ボリュームは、前記反復再構成において初期画像として使用される、請求項１乃至８のいずれか１項に記載のシステム。
【請求項１０】
前記画像構造が、ｉ）被撮像対象における解剖学的構造、又はｉｉ）被撮像対象における形成物、又はｉｉｉ）イメージング中に被撮像対象に存在する異質部分を表す、請求項１乃至９のいずれか１項に記載のシステム。
【請求項１１】
請求項１乃至１０のいずれか１項に記載のシステムと、
前記投影画像を取得するイメージング装置であって、前記イメージング装置が、マンモグラフィイメージング装置である、イメージング装置と、
を有するイメージング機構。
【請求項１２】
ｉ）異なる複数の投影方向に沿って取得された被撮像対象の投影画像から予め再構成された３Ｄ入力画像ボリュームと、ｉｉ）前記３Ｄ入力画像ボリューム内の画像構造の指定と、を受け取るステップと、
前記指定に基づいて、前記３Ｄ入力画像ボリューム内の前記構造の幾何学的な３Ｄモデルを作成するステップであって、前記３Ｄモデルが深さを有する、ステップと、
前記３Ｄモデルに基づいて前記３Ｄ入力画像ボリュームを適応させて３Ｄ出力画像ボリュームを生成するステップと、
を含む画像処理方法。
【請求項１３】
前記３Ｄ出力画像ボリュームに基づいて再構成を実施するステップを含む、請求項１２に記載の方法。
【請求項１４】
処理ユニットによって実行されるとき、請求項１２又は１３に記載の方法のステップの少なくとも１つを実行するように適応されたコンピュータプログラム。
【請求項１５】
請求項１４に記載のコンピュータプログラムを記憶したコンピュータ可読媒体。
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
睡眠を強化するために患者の額に熱エネルギを印加するための装置であって、
皮膚向き面を有して前記患者の額上に着用されるように構成された共形本体と、
前記皮膚向き面にわたって配置された複数の熱電温度調整器と、
前記熱電温度調整器を１℃−３０℃の間まで冷却するための電力を印加するように構成されたコントローラと、
装置を前記患者の額に固定するように構成された留め具と、
を含むことを特徴とする装置。
【請求項２】
前記患者の自律状態及び該患者の睡眠／覚醒状態のうちの１又は２以上を検出するように構成されたセンサを更に含むことを特徴とする請求項１に記載の装置。
【請求項３】
前記センサは、前記共形本体内に一体化された加速度計であることを特徴とする請求項２に記載の装置。
【請求項４】
前記センサは、身体の動き、呼吸数、心拍数、心電図（ＥＣＧ）信号、及び脳波図（ＥＥＧ）信号のうちの１又は２以上を検出するように構成されることを特徴とする請求項２に記載の装置。
【請求項５】
前記コントローラは、前記患者が潜水反射を体験するまで前記熱電温度調整器を１℃−３０℃の間まで冷却するための前記電力を印加するように更に構成されることを特徴とする請求項２に記載の装置。
【請求項６】
前記コントローラは、前記患者が覚醒している時に前記熱電温度調整器を１℃−３０℃の間まで冷却するための前記電力を印加するように更に構成されることを特徴とする請求項２に記載の装置。
【請求項７】
前記コントローラは、前記患者が眠っている時に２６℃−３８℃の間の待機温度を維持するための電力を前記熱電温度調整器に印加するように更に構成されることを特徴とする請求項６に記載の装置。
【請求項８】
バッテリを更に含むことを特徴とする請求項１に記載の装置。
【請求項９】
充電アンテナによって誘導的に受信した電力から前記バッテリを再充電するように構成された充電回路及び充電アンテナを更に含むことを特徴とする請求項７に記載の装置。
【請求項１０】
電力が充電アンテナによって受信された時に前記コントローラ及び前記熱電温度調整器を給電するように構成された充電アンテナを更に含むことを特徴とする請求項１に記載の装置。
【請求項１１】
前記コントローラに無線送信し、かつそこから無線受信するように構成された無線通信回路を更に含むことを特徴とする請求項１に記載の装置。
【請求項１２】
前記コントローラは、前記熱電温度調整器が前記額にパルス式冷却を印加するように拍動方式でエネルギを印加するように構成されることを特徴とする請求項１に記載の装置。
【請求項１３】
前記エネルギは、３６０秒よりも短いパルス持続時間を有するパルスで印加されることを特徴とする請求項１２に記載の装置。
【請求項１４】
前記皮膚向き面にわたって位置決めされるように構成された熱伝達面を有するカバーを更に含むことを特徴とする請求項１に記載の装置。
【請求項１５】
睡眠を強化するために患者の額に熱エネルギを印加するための装置であって、
皮膚向き面を有して前記患者の額上に着用されるように構成された共形本体と、
前記皮膚向き面にわたって配置された複数の熱電温度調整器と、
センサと、
前記センサからセンサデータを受信し、かつ前記患者が眠っている又は覚醒している時を決定するように構成され、該患者が覚醒している時に１℃−３０℃の間の第１の温度まで前記熱電温度調整器を冷却するための電力を印加し、かつ該患者が眠っている時に２６−３８℃の間の待機温度まで該熱電温度調整器を冷却するための電力を印加するように構成されたコントローラと、
装置を前記患者の額に固定するように構成された留め具と、
を含むことを特徴とする装置。
【請求項１６】
前記センサは、前記共形本体内に一体化された加速度計であることを特徴とする請求項１５に記載の装置。
【請求項１７】
前記センサは、身体の動き、呼吸数、心拍数、及び脳波図信号のうちの１又は２以上を検出するように構成されることを特徴とする請求項１５に記載の装置。
【請求項１８】
バッテリを更に含むことを特徴とする請求項１５に記載の装置。
【請求項１９】
充電アンテナによって誘導的に受信した電力から前記バッテリを再充電するように構成された充電回路及び充電アンテナを更に含むことを特徴とする請求項１８に記載の装置。
【請求項２０】
電力が充電アンテナによって受信された時に前記コントローラ及び前記熱電温度調整器を給電するように構成された充電アンテナを更に含むことを特徴とする請求項１５に記載の装置。
【請求項２１】
前記コントローラに無線送信し、かつそこから無線受信するように構成された無線通信回路を更に含むことを特徴とする請求項１５に記載の装置。
【請求項２２】
前記コントローラは、前記熱電温度調整器が前記額にパルス式冷却を印加するように拍動方式でエネルギを印加するように構成されることを特徴とする請求項１５に記載の装置。
【請求項２３】
前記エネルギは、３６０秒よりも短いパルス持続時間を有するパルスで印加されることを特徴とする請求項２３に記載の装置。
【請求項２４】
前記皮膚向き面にわたって位置決めされるように構成された熱伝達面を有する着脱可能カバーを更に含むことを特徴とする請求項１５に記載の装置。
【手続補正書】
【提出日】令和2年7月31日(2020.7.31)
【手続補正１】
【補正対象書類名】明細書
【補正対象項目名】００１３
【補正方法】変更
【補正の内容】
【００１３】
【図１Ａ−１Ｂ】例示的なｏＨＳＶベクターの概略図である。
【図２】ウイルスｈＶＧ１６１について改変されたＩＣＰ３４．５領域（配列番号５７２）の概略図を示す。
【図３】ウイルスｈＶＧ１６１について改変されたＵＬ５４プロモーター領域（配列番号５７３）の概略図を示す。
【図４】ＰＤ−Ｌ１ブロッカーが挿入されたｈＶＧ１６１ウイルスゲノム（配列番号５７４）の概略図を示す。
【図５】ｈＶＧ１６１で改変したＴＲ領域（配列番号５７５）の概略図を示す。
【図６Ａ−６Ｃ】細胞のｈＶＧ１６１感染後のＩＬ−１２発現についてのＥＬＩＳＡおよびウェスタンブロットのデータを示す。
【図７Ａ−７Ｃ】細胞のｈＶＧ１６１感染後のＩＬ−１５発現についてのＥＬＩＳＡおよびウェスタンブロットのデータを示す。
【図８Ａ−８Ｃ】細胞のｈＶＧ１６１感染後のＩｇＧ４発現についてのＥＬＩＳＡおよびウェスタンブロットのデータを示す。
【図９Ａ−９Ｃ】（Ａ）二方向ＣＭＶプロモーターがＩＬ−１５ＲαおよびＩＬ−１５のＳｕｓｈｉドメインの発現を駆動する例示的なコンストラクトの概略図、ならびに（Ｂ〜Ｃ）ＤＮＡ配列および概略図（配列番号５５７）である。
【図１０Ａ−１０Ｃ】（Ａ）二方向ＣＭＶプロモーターがＩＬ−１５およびＩＬ−１５Ｒαバリアント４の発現を駆動する例示的なコンストラクトの概略図、ならびに（Ｂ〜Ｃ）ＤＮＡ配列および概略図（配列番号５５８）である。
【図１１Ａ−１１Ｃ】（Ａ）二方向ＣＭＶプロモーターがＩＬ−１５−Ｋ５およびＩＬ−１５Ｒα  Ｓｕｓｈｉドメイン−Ｅ５の発現を駆動する例示的なコンストラクトの概略図、ならびに（Ｂ〜Ｃ）ＤＮＡ配列および概略図（配列番号５５９）である。
【図１２Ａ−１２Ｄ】（Ａ）二方向ＣＭＶプロモーターがＩＬ−１５−Ｋ５およびＩＬ−１５Ｒαバリアント４−Ｅ５の発現を駆動する例示的なコンストラクトの概略図、ならびに（Ｂ〜Ｄ）ＤＮＡ配列および概略図（配列番号５６０）である。
【図１３Ａ−１３Ｄ】（Ａ）ＥＦ１αプロモーターがＩＬ−１５−ＩＲＥＳ−ＩＬ−１５Ｒα  Ｓｕｓｈｉドメインの発現を制御する例示的なコンストラクトの概略図、ならびに（Ｂ〜Ｄ）ＤＮＡ配列および概略図（配列番号５６１）である。
【図１４Ａ−１４Ｄ】（Ａ）ＥＦ１αプロモーターがＩＬ−１５−ＩＲＥＳ−ＩＬ−１５Ｒαバリアント４の発現を制御する例示的なコンストラクトの概略図、ならびに（Ｂ〜Ｄ）ＤＮＡ配列および概略図（配列番号５６２）である。
【図１５Ａ−１５Ｄ】（Ａ）ＥＦ１αプロモーターがＩＬ−１５Ｋ５−ＩＲＥＳ−ＩＬ−１５Ｒα  ＳｕｓｈｉドメインＥ５の発現を制御する例示的なコンストラクトの概略図、ならびに（Ｂ〜Ｄ）ＤＮＡ配列および概略図（配列番号５６３）である。
【図１６Ａ−１６Ｄ】（Ａ）ＥＦ１αプロモーターがＩＬ−１５Ｋ５−ＩＲＥＳ−ＩＬ−１５Ｒαバリアント４Ｅ５の発現を制御する例示的なコンストラクトの概略図、ならびに（Ｂ〜Ｄ）ＤＮＡ配列および概略図（配列番号５６４）である。
【図１７Ａ−１７Ｅ】（Ａ）ＣＭＶプロモーターがＩＬ−１２−ｐ２Ａ−ＩＬ−１５−ｐ２Ａ−ＩＬ−１５Ｒα  Ｓｕｓｈｉドメインの発現を制御する例示的なコンストラクトの概略図、ならびに（Ｂ〜Ｅ）ＤＮＡ配列および概略図（配列番号５６５）である。
【図１８Ａ−１８Ｅ】（Ａ）ＣＭＶプロモーターがＩＬ−１２−ｐ２Ａ−ＩＬ−１５−ｐ２Ａ−ＩＬ−１５Ｒαバリアント１の発現を制御する例示的なコンストラクトの概略図、ならびに（Ｂ〜Ｅ）ＤＮＡ配列および概略図（配列番号５６６）である。
【図１９Ａ−１９Ｄ】（Ａ）ＣＭＶプロモーターがＩＬ−１２−ｐ２Ａ−ＩＬ−１５Ｋ５−ｐ２Ａ−ＩＬ−１５Ｒα  ＳｕｓｈｉドメインＥ５の発現を制御する例示的なコンストラクトの概略図、ならびに（Ｂ〜Ｄ）ＤＮＡ配列および概略図（配列番号５６７）である。
【図２０Ａ−２０Ｄ】（Ａ）ＣＭＶプロモーターがＩＬ−１２−ｐ２Ａ−ＩＬ−１５Ｋ５−ｐ２Ａ−ＩＬ−１５Ｒαバリアント１−Ｅ５の発現を制御する例示的なコンストラクトの概略図、ならびに（Ｂ〜Ｄ）ＤＮＡ配列および概略図（配列番号５６８）である。
【図２１】ブロッキングペプチドによるＰＤ−１に対するＰＤ−Ｌ１結合の阻害率を示すチャートである。
【図２２Ａ−２２Ｄ】抗ＣＤ３で刺激したヒト末梢血単核細胞による標的細胞の細胞毒性に対するＰＤ−Ｌ１抑制ペプチドの効果を示す。
【図２３Ａ−２３Ｂ】ヒト末梢血単核細胞におけるＩＦＮγおよびＴＮＦαの産生に対するＩＬ−１２単独、ＩＬ−１５Ｒα単独、ならびにＩＬ−１２および１Ｌ−１５Ｒαをまとめるという効果を示す。
【図２４Ａ−２４Ｂ】末梢血単核細胞によるＵ８７およびＭＤＡ−ＭＢ−２３１腫瘍細胞の細胞毒性に対するＩＬ−１２およびＩＬ−１５Ｒαの効果を示す。
【図２５Ａ−２５Ｅ】ＶＧ１６１−ＰＬＢｈおよびＶＧ１６１−１５ｈによる細胞感染の結果を示す。
【図２６Ａ−２６Ｄ】種々のコンストラクトについてのインビトロアッセイの結果を示す。図２６Ａ〜２６Ｂは、ＩＬ−１２、ＩＬ−１５、およびＰＤ−Ｌ１ブロッカーを保有するＩＬ−ＴＦ−Ｆｃプラスミドを用いた細胞トランスフェクションの結果を示す。図２６Ｃ〜２６Ｄは、ｈＶＧ１６１を含む種々の変異ウイルスによる細胞感染の結果を示す。
【図２７Ａ−２７Ｅ】ヒト腫瘍細胞株およびベロ細胞株に対するｈＶＧ１６１およびＨＳＶ−３４５についての細胞生存率アッセイの結果を示す。
【図２８Ａ−２８Ｊ】種々のコンストラクトについてのインビトロアッセイの結果を示す。図２８Ａ〜２８Ｅは、マウス腫瘍細胞株およびベロ細胞株に対するｍＶＧ１６１およびＨＳＶ−３４５についての細胞生存率アッセイの結果を示し、図２８Ｆ〜２８Ｊは、ＣＴ２６マウス腫瘍細胞のｍＶＧ１６１またはＶＧ００１感染後の導入遺伝子発現の特徴づけを示す。
【図２９Ａ−２９Ｅ】種々の細胞株のｈＶＧ１６１またはＶＧ００１感染後の導入遺伝子発現のインビトロでの特徴づけの結果を示す。
【図３０Ａ−３０Ｇ】種々のヒト癌細胞をインビトロで殺滅するｈＶＧ１６１の能力を評価するアッセイの結果を示す。
【図３１Ａ−３１Ｇ】ｍＶＧ１６１およびｈＶＧ１６１コンストラクトについてのインビボアッセイの結果を示す。
【図３２Ａ−３２Ｃ】３つの異なるヒト細胞株に対する異なるウイルスについての成長曲線を示す。
【図３３Ａ−３３Ｄ】マウス腫瘍細胞株およびベロ細胞株に対するｍＶＧ１６１およびＨＳＶ−３４５の成長曲線を示す。
【図３４Ａ−３４Ｅ】ヒト腫瘍細胞株およびベロ細胞株に対するｈＶＧ１６１およびＨＳＶ−３４５の成長曲線を示す。
【図３５Ａ−３５Ｄ】ウイルス改変の効果を示す。
【図３６Ａ−３６Ｄ】インビトロでの効能データを提供する。
【図３７Ａ−３７Ｂ】インビボでのデータを提供する。
【図３８Ａ−３８Ｃ】免疫応答におけるＶＧ１６１ｍの効果に関するデータを提供する。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
磁気共鳴撮像システムの勾配コイルデバイス又は反復機械的ストレスを受ける磁気共鳴撮像システムの別の要素を作動させる方法において、
前記デバイスの少なくとも１つの第１パラメータ及び／又は前記デバイスの少なくとも１つの第２パラメータを提供するステップと、
数学モデルを用いて前記デバイスの動作の損傷計算を実行するステップであって、前記モデルが、応力サイクル曲線又は修正された応力サイクル曲線に基づかれ、かつ前記少なくとも１つの第１パラメータ及び／又は前記少なくとも１つの第２パラメータを使用する、ステップと、
前記デバイスの更なる動作に関する第２のパラメータを決定するステップであって、（１）予測的メンテナンスの必要性を予測するために、又は（２）前記勾配コイルデバイスに与えるダメージを少なくする方向に前記第２のパラメータを調整するために、前記第２のパラメータを決定する、ステップと、
を有する、方法。
【請求項２】
前記デバイスの前記少なくとも１つの第１のパラメータが、前記デバイスの１つ又は複数の伝達関数である、請求項１に記載の方法。
【請求項３】
前記デバイスの前記少なくとも１つの第２のパラメータが、スキャンプロトコルの有効周波数
2019523046.tif 000001
及び／又は全スキャン期間
2019523046.tif 000002
である、請求項１又は２に記載の方法。
【請求項４】
前記損傷計算が、少なくとも１つの損傷係数Ｄを計算することを含む、請求項１乃至３の一項に記載の方法。
【請求項５】
前記損傷係数Ｄが
2019523046.tif 000003
である、請求項４に記載の方法。
【請求項６】
前記デバイスの前記更なる動作に関する前記パラメータを考慮するステップを更に有する、請求項１乃至５の一項に記載の方法。
【請求項７】
前記更なる動作に関する少なくとも１つの決定された第２のパラメータが、材料疲労に関する前記デバイスの予測された物質状態であり、この状態に達した後の前記デバイスの無制限使用を制限するものであり、及び／又は
前記デバイスの所与の動作時間における材料疲労に関する前記デバイスの所望の材料状態を維持するための第２のパラメータのセットである、請求項６に記載の方法。
【請求項８】
磁気共鳴撮像システムの勾配コイルデバイスを作動させる制御ユニットであって、プロセッサとコンピュータメモリ及び／又はコンピュータストレージとを持つコンピュータシステムを含む制御ユニットであって、数学的モデルが、前記コンピュータシステムにおいて実現され、前記数学的モデルは、応力サイクル曲線又は修正された応力サイクル曲線に基づかれ、かつ前記数学的モデルが、（１）予測的メンテナンスの必要性を予測するために、又は（２）前記勾配コイルデバイスに与えるダメージを少なくする方向に前記第２のパラメータを調整するために、前記デバイスの少なくとも１つの第１のパラメータ及び少なくとも１つの第２のパラメータを用いて、前記デバイスの動作の損傷計算を実行するよう設計される、制御ユニット。
【請求項９】
前記デバイスの前記少なくとも１つの第１のパラメータが、前記デバイスの１つ又は複数の伝達関数である、請求項８に記載の制御ユニット。
【請求項１０】
前記デバイスの前記少なくとも１つの第２のパラメータが、正のゼロ交差の数をカウントするため、スキャンプロトコルの有効周波数及び／又は全スキャン期間である、請求項８又は９に記載の制御ユニット。
【請求項１１】
前記制御ユニットが、前記デバイスの更なる動作に関する第２のパラメータを決定するよう更にセットアップされる、請求項８乃至１０の一項に記載の制御ユニット。
【請求項１２】
前記制御ユニットが、前記デバイスの更なる動作に関する前記第２のパラメータの出力のためのインタフェースを更に有する、請求項１１に記載の制御ユニット。
【請求項１３】
勾配コイルデバイスと、請求項８乃至１２の一項に記載の制御ユニットとを有する磁気共鳴撮像システム。
【請求項１４】
コンピュータシステム上で請求項１乃至７の一項に記載の方法を実行するためのコンピュータプログラム。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
哺乳動物ＰＴＥＮ−Ｌｏｎｇ遺伝子を含む、組換えウイルス。
【請求項２】
前記ウイルスは、腫瘍細胞を標的とするように改変されている、請求項１に記載の組換えウイルス。
【請求項３】
前記ウイルスは、腫瘍特異的プロモーターの制御下で、ウイルス複製に重要な遺伝子を配置するように改変されている、請求項１に記載の組換えウイルス。
【請求項４】
前記組換えウイルスは、単純ヘルペスウイルス−１バックボーンを含む、請求項１に記載の組換えウイルス。
【請求項５】
前記ＰＴＥＮ−Ｌｏｎｇ遺伝子は、組織特異的プロモーターに作動可能に結合されている、請求項１に記載の組換えウイルス。
【請求項６】
前記ＰＴＥＮ−Ｌｏｎｇ遺伝子は、誘導性プロモーターに作動可能に結合されている、請求項１に記載の組換えウイルス。
【請求項７】
前記ＰＴＥＮ−Ｌｏｎｇ遺伝子は、構成的プロモーターに作動可能に結合されている、請求項１に記載の組換えウイルス。
【請求項８】
前記組換えウイルスを被験体に投与することを含む、被験体において癌を治療する方法に使用される、請求項１に記載の組換えウイルス。
【請求項９】
前記組換えウイルスを被験体に投与することを含む、癌細胞においてＰＤ−Ｌ１を阻害する方法に使用される、請求項１に記載の組換えウイルス。
【請求項１０】
前記組換えウイルスを被験体に投与することを含む、被験体における癌の部位で浸潤ＣＤ８  Ｔ細胞の数を増加させる方法に使用される、請求項１に記載の組換えウイルス。
【請求項１１】
前記組換えウイルスを被験体に投与することを含む、被験体における癌の部位で浸潤ナチュラルキラー細胞の数を増加させる方法に使用される、請求項１に記載の組換えウイルス。
【請求項１２】
前記組換えウイルスをを被験体に投与することを含む、被験体における癌の転移を阻害する方法に使用される、請求項１に記載の組換えウイルス。
【請求項１３】
哺乳動物ＰＴＥＮ−Ｌｏｎｇ遺伝子を含む組換えウイルスを被験体に投与することを含む、被験体における癌を治療する方法に使用される、組換えウイルス。
【請求項１４】
前記組換えウイルスは、腫瘍細胞を標的とするように改変されている、請求項１３に記載の組換えウイルス。
【請求項１５】
前記組換えウイルスは、単純ヘルペスウイルス−１バックボーンを含む、請求項１３に記載の組換えウイルス。
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
以下の工程：
−  所与量の食用油、とりわけエキストラバージンオリーブオイルを提供すること；
−  所定数の全オリーブを上記の量の食用油中へ挿入すること、ここで、該全オリーブは、オリーブの総重量に対して１〜５％の範囲にあるポリフェノール含有量を有し、該食用油中へ導入される前に、２．５〜１５ｋｇｒａｙの範囲内に含まれる吸収線量で電離放射線を照射されることを特徴とする、
を含む、食用油製品、特にエキストラバージンオリーブオイルの製造方法。
【請求項２】
該吸収線量が２．５〜５ｋｇｒａｙ未満の範囲内に含まれる、請求項１に記載の方法。
【請求項３】
該食用油製品がエキストラバージンオリーブオイルである、請求項１または２に記載の方法。
【請求項４】
該所定数のオリーブが、油１リットルあたり１から４の間に含まれる、請求項１〜３のいずれか一項に記載の方法。
【請求項５】
該オリーブが、熟成開始前のグリーンオリーブである、請求項１〜４のいずれか一項に記載の方法。
【請求項６】
該オリーブがＣｏｒａｔｉｎａ栽培品種に属する、請求項１〜５のいずれか一項に記載の方法。
【請求項７】
該オリーブの内径が、１００グラムあたりのオリーブの数として表される２０〜２２の範囲である、請求項１〜６のいずれか一項に記載の方法。
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
原動機と、前記原動機と動作的に接続される回転式ドライブシャフトとを有する回転式アテレクトミシステムであって、
前記システムは、前記回転式ドライブシャフトと動作的に取り付けられる研磨要素を備え、前記研磨要素は、前記ドライブシャフトの遠位端から近位側に離れた位置に配置され、前記ドライブシャフトの一部分は、前記研磨要素を遠位側に越えて延在しており、前記システムは、前記研磨要素と動作的に接続される翼形部をさらに備える、回転式アテレクトミシステム。
【請求項２】
前記回転式ドライブシャフトは、拡大されたドライブシャフトセクションを備え、前記研磨要素は、前記拡大されたドライブシャフトセクションと動作的に取り付けられる、請求項１に記載の回転式アテレクトミシステム。
【請求項３】
前記翼形部は、上面および下面と、前縁および後縁とを備え、前記前縁は、前記研磨要素に動作的に接続されており、前記翼形部は、湾曲した上面を備える、請求項１に記載の回転式アテレクトミシステム。
【請求項４】
前記前縁と前記後縁との間に引かれるコードと一致しないキャンバ線を有する前記翼形部をさらに備える、請求項３に記載の回転式アテレクトミシステム。
【請求項５】
静止直径と、高速回転の間に達成される作業直径とを備える前記研磨要素をさらに備え、前記作業直径は、前記静止直径よりも大きい、請求項１に記載の回転式アテレクトミシステム。
【請求項６】
原動機と、ワイヤターンから形成されかつ前記原動機と動作的に接続される回転式ドライブシャフトとを備えた回転式アテレクトミシステムであって、前記回転式ドライブシャフト上に位置する研磨セクションをさらに備え、前記研磨セクションは、前記ドライブシャフトの遠位端から近位側に離れた位置に配置され、前記ドライブシャフトの一部分は、前記研磨セクションを遠位側に越えて延在しており、前記システムは、前記研磨セクションと少なくとも部分的に接続される翼形部をさらに備える、回転式アテレクトミシステム。
【請求項７】
回転式ドライブシャフトおよび原動機に動作的に接続される研磨要素の作業直径を増加する方法であって、前記研磨要素は、前記ドライブシャフトの遠位端から近位側に離れた位置に配置され、前記ドライブシャフトの一部分は、前記研磨要素を遠位側に越えて延在しており、翼形部が前記研磨要素と動作的に接続され、前記方法は、
前記翼形部の前縁の方向に前記ドライブシャフトおよび研磨要素を回転させることと、
前記回転の間に前記翼形部で揚力を発生させることと、
これにより回転する前記研磨要素に、前記研磨要素の静止直径よりも大きな直径を備える作業経路をたどらせる、方法。
【請求項８】
前記研磨要素は、研磨クラウンを備え、前記翼形部の第１部分を介して前記翼形部は前記研磨要素と動作的に接続され、前記翼形部の少なくとも第２部分は、前記研磨クラウンと一体的に形成される、請求項７に記載の方法。
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
外科用ロボットアームの少なくとも一部を覆う外科用ドレープであって、該アームが、少なくとも１つの駆動装置インターフェースエレメントを含んで構成されており、該駆動装置インターフェースエレメントが、該アームおよび該アームと係合可能な器具との間で駆動を伝達するものであり、該ドレープが、
前記器具が前記アームと係合しているときに該アームと該器具の間に配置可能なインターフェース部と、
前記インターフェース部を取り囲むバルク部と、を含んで構成されており、該インターフェース部が、
少なくとも一方向において前記バルク部のモジュラスよりも低いモジュラスを有する素材または形状を含んで構成されており、それによって前記インターフェース部の一部が該バルク部に対して反復可能な直線移動を許容されていることを特徴とする外科用ドレープ。
【請求項２】
前記インターフェース部が可動部を含んで構成されており、該可動部が前記バルク部に対して移動可能とされている請求項１に記載の外科用ドレープ。
【請求項３】
前記バルク部が、前記インターフェース部を完全に取り囲んでおり、および／または、前記バルク部が、前記インターフェース部に当接している請求項１または２に記載の外科用ドレープ。
【請求項４】
前記インターフェース部の素材が、織物素材および弾性素材のうちの少なくとも一方である請求項１〜３の何れか１項に記載の外科用ドレープ。
【請求項５】
前記インターフェース部が前記ドレープの拘束されていない部分を含んで構成されている請求項１〜４の何れか１項に記載の外科用ドレープ。
【請求項６】
前記インターフェース部が、前記ドレープの素材内の張力を少なくとも部分的に制御するように構成されたしわ制御部を含んで構成されている請求項１〜５の何れか１項に記載の外科用ドレープ。
【請求項７】
前記しわ制御部が前記可動部を含んで構成されている請求項６に記載の外科用ドレープ。
【請求項８】
前記しわ制御部が蛇腹部を含んで構成されており、該蛇腹部が拡張状態と収縮状態との間で構成可能である請求項６または７に記載の外科用ドレープ。
【請求項９】
前記蛇腹部が、前記拡張状態および前記収縮状態のうちの一方に付勢されている請求項８に記載の外科用ドレープ。
【請求項１０】
前記しわ制御部が、前記可動部の素材の巻き取りおよび繰り出しのうちの少なくとも一方のためのリールを含んで構成されている請求項６〜９の何れか１項に記載の外科用ドレープ。
【請求項１１】
前記リールが、回転方向に偏倚されているか駆動可能であるかの少なくとも一方である請求項１０に記載の外科用ドレープ。
【請求項１２】
前記しわ制御部が強化された部分を含んで構成されており、該強化された部分が力の作用下で前記インターフェース部の優先的な変形を可能にするように構成されている請求項６〜１１の何れか１項に記載の外科用ドレープ。
【請求項１３】
前記強化された部分が、強化されていない部分の周囲の少なくとも一部を形成する請求項１２に記載の外科用ドレープ。
【請求項１４】
前記ドレープが複数の前記駆動装置インターフェースエレメントと係合するように構成されており、該ドレープは、該複数の駆動装置インターフェースエレメントのそれぞれに対応する前記しわ制御部を含んで構成されている請求項６〜１３の何れか１項に記載の外科用ドレープ。
【請求項１５】
前記インターフェース部が、前記駆動装置インターフェースエレメントと係合可能な駆動伝達エレメントを含んで構成されている請求項１〜１４の何れか１項に記載の外科用ドレープ。
【請求項１６】
前記駆動伝達エレメントが、前記ドレープの両側に取り付けられた部分を含んで構成されている請求項１５に記載の外科用ドレープ。
【請求項１７】
前記可動部が第１のドレープ部と第２のドレープ部とを含んで構成されており、該第１のドレープ部と該第２のドレープ部とが接合線に沿って互いに解除可能に係合可能とされていることにより、第１のドレープ部と第２のドレープ部との間の隙間が該接合線に沿って移動可能とされている請求項１〜４の何れか１項に記載の外科用ドレープ。
【請求項１８】
前記ドレープが、該ドレープ内の張力および該ドレープに及ぼされる力のうちの少なくとも一方を検知するセンサを含んで構成されている請求項１〜１７の何れか１項に記載の外科用ドレープ。
【請求項１９】
請求項１〜１８の何れか１項に記載の外科用ドレープと、制御ユニットと、センサとを含んで構成されている外科用システムであって、該センサが、該ドレープ内の張力および該ドレープに及ぼされる力のうちの少なくとも一方を検知して該制御ユニットに信号を送信するように構成されていると共に、該制御ユニットが、該信号に応じて該ドレープ内の張力および該ドレープに及ぼされる力のうちの少なくとも一方を決定するように構成されていることを特徴とする外科用システム。
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
ハウジング、第１の流体ディスペンサー及び第２の流体ディスペンサーを含むバイオリアクターであって、該バイオリアクターは、取り付けられた足場をハウジング内に受け入れるように構成され、第１及び第２の流体ディスペンサーは、第１及び第２の流体を、それぞれ取り付けられた足場の少なくとも２つの異なる領域に注ぐように配置される、バイオリアクター。
【請求項２】
前記ハウジング内から流体を除去するための流体出口を含む、請求項１に記載のバイオリアクター。
【請求項３】
前記第１及び第２の流体ディスペンサーが、取り付けられた足場の異なる表面に流体を注ぐように配置されている、請求項１又は２に記載のバイオリアクター。
【請求項４】
前記第１の流体ディスペンサーが、前記第１の流体を取り付けられた足場の内面に注ぐように配置されている、請求項３に記載のバイオリアクター。
【請求項５】
前記第２の流体ディスペンサーが、前記第２の流体を取り付けられた足場の外面に注ぐように配置されている、請求項３又は４に記載のバイオリアクター。
【請求項６】
前記第１及び／又は第２の流体ディスペンサーが、その中に１又はそれ以上の穴を有する貫通穴があけられたシャフト又は導管を含む、請求項１〜５のいずれか一項に記載のバイオリアクター。
【請求項７】
前記第１及び／又は第２のシャフト又は導管が、該シャフト又は導管内の前記１又はそれ以上の穴を通して、前記第１又は第２の流体を、取り付けられた足場の１又はそれ以上の表面上に注ぐように動作可能である、請求項６に記載のバイオリアクター。
【請求項８】
使用時に、その上に足場を取り付けることができる支持構造体を含む、請求項１〜７のいずれか一項に記載のバイオリアクター。
【請求項９】
前記支持構造体が、その上に足場が回転可能に取り付けられるように構成されている、請求項８に記載のバイオリアクター。
【請求項１０】
管状足場を受け入れるように構成され、取り付けられたときに、該管状足場が管状足場の中心を通る軸の周りを回転可能である、請求項１〜９のいずれか一項に記載のバイオリアクター。
【請求項１１】
前記第２の流体ディスペンサーが前記バイオリアクターの前記ハウジング内に取り付けられたときに、該第２の流体ディスペンサーが前記足場の位置の真上に配置される、請求項１〜１０のいずれか一項に記載のバイオリアクター。
【請求項１２】
生物学的材料を処理する方法であって、
（ａ）バイオリアクターのハウジング内に足場を取り付ける段階、
（ｂ）第１の流体ディスペンサーから、第１の流体を、該取り付けられた足場の第１の領域上に注ぐ段階、及び
（ｃ）第２の流体ディスペンサーから、第２の流体を、該取り付けられた足場の第２の領域上に注ぐ段階、
から成り、該第１の流体、該第２の流体及び該足場のうち少なくとも一つが生物学的材料を含む、方法。
【請求項１３】
請求項１〜１１のいずれか一項に記載のバイオリアクターを使用して、生物学的材料を処理する方法であって、
（ａ）該バイオリアクターのハウジング内に足場を取り付ける段階、
（ｂ）該バイオリアクターの第１の流体ディスペンサーから、第１の流体を、該取り付けられた足場の第１の領域上に注ぐ段階、及び
（ｃ）該バイオリアクターの第２の流体ディスペンサーから、第２の流体を、該取り付けられた足場の第２の領域上に注ぐ段階、
から成り、該第１の流体、該第２の流体及び該足場のうち少なくとも一つが生物学的材料を含む、方法。
【請求項１４】
前記取り付けられた足場の第１及び第２の領域が前記足場の異なる表面上に配置されている、請求項１２又は１３に記載の方法。
【請求項１５】
前記第１の領域が前記足場の内面であり、前記第２の領域が前記足場の外面である、請求項１４に記載の方法。
【請求項１６】
管状足場上で生物学的材料を処理する段階を含む、請求項１２〜１５のいずれか一項に記載の方法。
【請求項１７】
前記第１及び／又は第２の流体がその表面又は領域に注がれている間に、前記取り付けられた足場を回転させる段階を含む、請求項１２〜１６のいずれか一項に記載の方法。
【請求項１８】
前記第１及び第２の流体ディスペンサーのうちの一つが、前記取り付けられた足場内に配置されている、請求項１２〜１７のいずれか一項に記載の方法。
【請求項１９】
前記第１及び第２の流体ディスペンサーのうちの一つが、前記取り付けられた足場の外側に配置されている、請求項１２〜１８のいずれか一項に記載の方法。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
外側ハウジングを備える気化器本体と、
前記外側ハウジング内にはまるように構成される構造ハウジング構成要素と、
前記構造ハウジング構成要素内にある加熱器であって、空気が通過し加熱される少なくとも１つの開口部を有する加熱器と、
気化可能物質が、前記加熱器によって加熱された前記空気によって加熱され、前記加熱された空気中に前記気化可能物質を少なくとも部分的に気化させるように、前記気化可能物質を保持するように構成されるオーブンチャンバであって、前記オーブンチャンバは、前記構造ハウジング構成要素内にあり、前記オーブンチャンバは、表面領域を有する側壁を含み、前記側壁の前記表面領域の大部分は、空隙によって囲まれるオーブンチャンバと、
前記加熱器に結合され、前記構造ハウジング構成要素内にあり、前記加熱器をある温度まで加熱するように構成されるコントローラと、
前記気化器本体の一端に結合され、前記加熱された空気および気化された物質を送達するように構成されるマウスピースと、
を備える気化器。
【請求項２】
外側ハウジングと、前記外側ハウジング内に収容され空洞を画定する内部構造ハウジング構成要素と、を備える気化器本体と、
前記外側ハウジングの一部分を通って前記内部構造ハウジング構成要素の前記空洞内に延びる空気入口であって、前記空気入口を通って空気が前記空洞内に入る空気入口と、
前記内部構造ハウジング構成要素の前記空洞内に懸架された加熱器であって、前記加熱器は、前記空気が通過する１つ以上の開口部を有し、前記加熱器および前記１つ以上の開口部は、前記空気が加熱のために前記加熱器の上を通過したときに前記空気に乱流を生成する加熱器と、
前記内部構造ハウジング構成要素の前記空洞内にあり、気化可能物質が、前記加熱器によって加熱された前記空気によって加熱され、前記加熱された空気中に前記気化可能物質を気化させるように構成されて内部に保持されるオーブンチャンバと、
前記加熱器に結合され、前記加熱器への空気流が検出されると、前記加熱器を所定の温度まで加熱するように構成されるコントローラと、
前記外側ハウジングに結合され、前記加熱された空気および気化された物質を送達するように構成されるマウスピースと、
を備える気化器。
【請求項３】
気化器を動作させる方法であって、前記方法は、
前記気化器のマウスピースにおける吸い込みを検知するステップと、
前記気化器の加熱器にエネルギを与えるステップと、
前記加熱器からの加熱された空気の空気温度を監視するステップと、
前記加熱器に与えられる前記エネルギを変更することによって、オーブンチャンバのオーブン温度を制限するステップと、
前記加熱器の抵抗の変化に応じて加熱器温度を制御するように、前記加熱器の前記加熱器温度を調整するステップと、
を含み、
前記気化器は、
外側ハウジングを備える気化器本体と、
前記外側ハウジング内にはまるように構成される構造ハウジング構成要素と、
前記構造ハウジング構成要素内にあるコントローラと、
を備え、
前記加熱器は、前記構造ハウジング構成要素内にあり、前記加熱器は、前記コントローラに結合され、前記加熱器は、空気が通過し加熱される少なくとも１つの開口部を有し、
前記オーブンチャンバは、前記構造ハウジング構成要素内にあり、前記オーブンチャンバは、気化可能物質が、前記加熱器によって加熱された前記空気によって加熱され、前記加熱された空気中に前記気化可能物質を少なくとも部分的に気化させるように、前記気化可能物質を保持するように構成され、前記オーブンチャンバは、表面領域を有する側壁を含み、前記側壁の前記表面領域の大部分は、空隙によって囲まれ、
前記マウスピースは、前記気化器本体に結合され、前記加熱された空気および気化された物質を送達するように構成され、
前記コントローラは、少なくとも、前記検知するステップ、前記与えるステップ、前記監視するステップ、前記制限するステップおよび前記調整するステップを実行するように構成される、
方法。
【請求項４】
外側ハウジングを備える気化器本体と、
前記外側ハウジング内にある加熱器であって、前記加熱器は、空気の流れを乱し、前記加熱器の領域内を流れる空気を加熱するように構成される加熱器と、
前記加熱器に流体接続されるオーブンチャンバであって、前記オーブンチャンバは、気化可能物質が、前記加熱器によって加熱された前記空気によって加熱され、前記加熱された空気中に前記気化可能物質を気化させるように、前記気化可能物質を保持するように構成され、前記オーブンチャンバの壁は、空隙によって囲まれるオーブンチャンバと、
前記気化器本体に結合され、前記加熱された空気および気化された物質を送達するように構成されるマウスピースと、
を備える気化器。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
患者支持プラットフォームと、
前記患者支持プラットフォームの第１側に配置される少なくとも１つのＸ線放射源と、
前記患者支持プラットフォームの前記第１側とは反対の第２側に配置されるＸ線放射検出器と、
前記Ｘ線放射源の周りに配置される固定線源Ｘ線放射遮蔽体と、
遮蔽体担体及び少なくとも１つの遮蔽体延長部を有する検出器Ｘ線放射遮蔽体であって、該少なくとも１つの遮蔽体延長部が前記遮蔽体担体から前記線源Ｘ線放射遮蔽体又は前記患者支持プラットフォームの周縁まで延びる展開状態と、該少なくとも１つの遮蔽体延長部が前記患者支持プラットフォーム上の患者への接近を可能にするために前記遮蔽体担体に向かって引き込まれる収納状態との間で、前記少なくとも１つの遮蔽体延長部が、前記遮蔽体担体に対して移動される検出器Ｘ線放射遮蔽体と、
前記遮蔽体担体を前記患者支持プラットフォームに向かって及び該患者支持プラットフォームから離れる方向に移動させる変位機構と、
を有する、放射線システム。
【請求項２】
前記変位機構が更に、前記Ｘ線放射検出器を前記患者支持プラットフォームに向かって及び該患者支持プラットフォームから離れる方向に移動させる、請求項１に記載の放射線システム。
【請求項３】
前記展開状態において、前記少なくとも１つの遮蔽体延長部が前記線源Ｘ線照射遮蔽体と重なり合って、該少なくとも１つの遮蔽体延長部と該線源Ｘ線照射遮蔽体との間の間隙を除去する、請求項１又は請求項２に記載の放射線システム。
【請求項４】
前記遮蔽体担体が前記Ｘ線放射検出器の一部である、請求項１から３の何れか一項に記載の放射線システム。
【請求項５】
前記放射遮蔽体が前記Ｘ線放射検出器の周りに延在する放射線遮蔽外囲体フードの形態を含む、請求項１から４の何れか一項に記載の放射線システム。
【請求項６】
前記放射遮蔽体が可撓性遮蔽材料、オプションとしては織物を含む、請求項１から５の何れか一項に記載の放射線システム。
【請求項７】
前記少なくとも１つの遮蔽体延長部が、入射する放射線の指示情報を提供する指示器エレメントを含む、請求項１から６の何れか一項に記載の放射線システム。
【請求項８】
前記指示器エレメントが、前記少なくとも１つの遮蔽体延長部と関連される放射線感知性繊維及び／又は電子装置である、請求項７に記載の放射線システム。
【請求項９】
前記少なくとも１つの遮蔽体延長部が、前記遮蔽体担体から取り外し可能である、請求項１から８の何れか一項に記載の放射線システム。
【請求項１０】
前記少なくとも１つの遮蔽体延長部が、複数の遮蔽体延長エレメントから形成される、請求項１から９の何れか一項に記載の放射線システム。
【請求項１１】
前記線源Ｘ線放射遮蔽体が、前記患者支持プラットフォームから延在して前記少なくとも１つの遮蔽体延長部と係合するプラットフォームフラップ又はスカートを有する、請求項１から１０の何れか一項に記載の放射線システム。
【請求項１２】
前記放射源が、互いに異なる角度で放射線を供給する複数の放射源又は放射線を異なる角度で供給するために移動可能である放射源を有する、請求項１から１１の何れか一項に記載の放射線システム。
【請求項１３】
前記少なくとも１つの遮蔽体延長部が、各々が前記線源Ｘ線放射遮蔽体まで延びる前記患者支持プラットフォームの相反する側に各々設けられる第１及び第２遮蔽体延長部を有する、請求項１から１２の何れか一項に記載の放射線システム。
【請求項１４】
コントローラ及びセンサを含み、前記センサは前記支持プラットフォーム上の患者の位置情報を感知するためのものであり、前記コントローラは、該感知された位置情報に応答して、前記検出器、前記遮蔽体及び前記少なくとも１つの遮蔽体延長部のうちの少なくとも１つを前記プラットフォームに対して位置決めするための電子機構を制御する、請求項１から１３の何れか一項に記載の放射線システム。
【請求項１５】
前記放射遮蔽体の少なくとも前記遮蔽体延長部が、取り外し可能な無菌被覆材料内に巻き取られ又は配置される、請求項１から１４の何れか一項に記載の放射線システム。